(57)【特許請求の範囲】
【請求項１】
リュックサックとして使用される第１の状態と、トートバッグとして使用される第２の状態とを有するバッグであって、
上端に開口を有する袋部と、
前記袋部の前記上端側の前記開口に対して一側と他側に設けられた一対の紐部とを具備し、
前記袋部は、筒状の内生地と、上部連結具を有し前記内生地の外側に接続される上部外生地と、前記上部連結具と連結可能な下部連結具を有し前記内生地の外側に接続される下部外生地とを有し、
前記第１の状態のとき、前記内生地は、伸長し、前記上部外生地の下端と前記下部外生地の上端の間に露出して、
前記第１の状態から、前記内生地が、上下方向を回転軸として略９０度ひねりが加えられて、収縮し、前記上部外生地と前記下部外生地の内側に収納され、前記上部連結具が前記下部連結具と連結されることで、前記第２の状態になる
バッグ。
【請求項２】
請求項１に記載のバッグであって、
前記内生地は、前記上部外生地と前記開口の近傍で接続し、前記上部外生地により覆われて露出しない部分を有し、当該露出しない部分と前記第１の状態において露出する部分とに前記ひねりが加えられる
バッグ。
【請求項３】
請求項１又は２に記載のバッグであって、
前記上部外生地は、１枚の生地の一端と他端が縫製された綴じ部を、前記第１の状態において使用者の背中に面する位置であって、前記第２の状態における幅方向の片側に有する
バッグ。
【請求項４】
請求項１から３のいずれかに記載のバッグであって、
前記第１の状態において、前記上部連結具と前記下部連結具とは、前記回転軸の周方向において略９０度ずれた位置に設けられる
バッグ。
【請求項５】
請求項１から４のいずれかに記載のバッグであって、
前記紐部は、前記開口から下方向に所定距離、離れた位置で前記上部外生地と接続される
バッグ。
【発明の詳細な説明】
【技術分野】
【０００１】
本技術は、バッグの技術分野に属する。
【背景技術】
【０００２】
従来から、トートバッグをリュックサックのように、手提げ用の持ち手を両肩に掛けて背負うことが知られている。例えば、特許文献１には、リュックサックとトートバッグの切り替えが容易なバッグが開示されている。特許文献２には、背負うことができるトートバッグが開示されている。
【先行技術文献】
【特許文献】
【０００３】
【特許文献１】特開２０２１−１０６５６７３号公報
【特許文献２】特開２０１８−００９４１４０号公報
【発明の概要】
【発明が解決しようとする課題】
【０００４】
しかしながら、従来のトートバッグは、リュックサックのように手提げ用の持ち手を両肩に掛けて背負うと、袋部の側面のどちらかが、使用者の背中にあたることになるので、背負いづらい。また、見た目も悪い。さらにトートバッグの深さが比較的小さい場合にはリュックサックとして使用した場合にバッグの重心が情報に位置するため安定しない。
【０００５】
本発明は、リュックサックとして使用した場合に安定して背負いやすく見た目もよいトートバッグを提供することを目的とする。
【課題を解決するための手段】
【０００６】
上記目的を達成する本発明の一形態は、リュックサックとして使用される第１の状態と、トートバッグとして使用される第２の状態とを有するバッグであって、上端に開口を有する袋部と、前記袋部の前記上端側の前記開口に対して一側と他側に設けられた一対の紐部とを具備し、前記袋部は、筒状の内生地と、上部連結具を有し前記内生地の外側に接続される上部外生地と、前記上部連結具と連結可能な下部連結具を有し前記内生地の外側に接続される下部外生地とを有し、前記第１の状態のとき、前記内生地は、伸長し、前記上部外生地の下端と前記下部外生地の上端の間に露出して、前記第１の状態から、前記内生地が、上下方向を回転軸として略９０度ひねりが加えられて、収縮し、前記上部外生地と前記下部外生地の内側に収納され、前記上部連結具が前記下部連結具と連結されることで、前記第２の状態になる。
【０００７】
この構成により、リュックサックとして使用される場合には内生地が略９０度ひねられることで紐部を有する上部外生地に形成される平面部分が使用者の背中にあたることになるため、リュックサックとして使用した場合に背負いやすく見た目もよいトートバッグを提供することができる。また、リュックサックとして使用される場合に内生地の上下方向の長さ分、バッグが伸長するため重心が低くなり、安定して背負うことができる。
【０００８】
別の一形態において、前記内生地は、前記上部外生地と前記開口の近傍で接続し、前記上部外生地により覆われて露出しない部分を有し、当該露出しない部分と前記第１の状態において露出する部分とに前記ひねりが加えられる。
【０００９】
この構成により、見た目上伸長する部分は内生地の露出する部分にとどめながら、ひねる領域としては覆われて露出しない部分も含めて上下方向に長い領域を確保することができるため、見た目を維持しながらも効率的にひねりを加えることができる。
【００１０】
別の一形態において、前記上部外生地は、１枚の生地の一端と他端が縫製された綴じ部を、前記第１の状態において使用者の背中に面する位置であって、前記第２の状態における幅方向の片側に有する。
【００１１】
この構成により、リュックサックとして使用した場合に、唯一の綴じ部が使用者の背中にあたり外部に露出しないため、見た目の低下を防止することができる。
【００１２】
別の一形態において、前記第１の状態において、前記上部連結具と前記下部連結具とは、前記回転軸の周方向において略９０度ずれた位置に設けられる。
【００１３】
この構成により、上部連結具と下部連結具とを周方向で９０度相対的に回転させることで、ひねりを加えることができる。
【００１４】
別の一形態において、前記紐部は、前記開口から下方向に所定距離、離れた位置で前記上部外生地と接続される。
【００１５】
この構成により、リュックサックとして使用した場合に、肩紐としての長さを十分確保することができる。
【発明の効果】
【００１６】
本発明によれば、リュックサックとして使用した場合に安定して背負いやすく見た目もよいトートバッグを提供することができる。
【図面の簡単な説明】
【００１７】
【図１】本発明の一実施形態に係るバッグを示す正面側斜視図である。
【図２】本発明の一実施形態に係るバッグを示す正面側斜視図である。
【図３】本発明の一実施形態に係るバッグを示す背面側斜視図である。
【図４】本発明の一実施形態に係るバッグの変形方法を示す図である。
【図５】本発明の一実施形態に係るバッグの使用方法を説明するための図である。
【発明を実施するための形態】
【００１８】
以下、図面を参照しながら本発明を実施形態により説明する。
なお、図面では、互いに直交する三軸をＸ，Ｙ，Ｚの符号で示している。
【００１９】
図１，図２，図３は、本発明の一実施形態に係るバッグ１０を示す斜視図である。本実施形態に係るバッグ１０は少なくとも「リュックサックとして使用される第１の状態」と「トートバッグとして使用される第２の状態」を有し、第１の状態から第２の状態へ、あるいは、第２の状態から第１の状態へ変形する。図１は第２の状態を示しており、図２及び図３は第１の状態を示している。図３は、バッグ１０を図２とは反対側から見た図である。
【００２０】
これらの図に示すように、第１の状態におけるバッグ１０の上下方向の長さＨ２は、第２の状態におけるバッグ１０の上下方向の長さＨ１より長い。
【００２１】
以下、まず、バッグ１０の構造について説明し、次に、バッグ１０の変形方法について説明する。
【００２２】
（バッグの構造）
図１，図２，図３に示すように本実施形態に係るバッグ１０は、袋部１００と一対の紐部２００を有する。袋部１００は、上側（Ｚ軸正方向）の端部に開口１０５を有する。紐部２００は、袋部１００の開口１０５に対して一側と他側に設けられており、図１〜図３では、Ｙ軸方向に並ぶように設けられている。紐部２００は、バッグ１０がトートバッグとして使用される場合には持ち手として、リュックサックとして使用される場合には肩紐として機能する。
【００２３】
袋部１００は、筒状の内生地１１０と、上部外生地１２０と、下部外生地１３０を有する。内生地１１０は、トートバッグとして使用される第２の状態（図１）では上部外生地１２０と下部外生地１３０の内側に収容されており、外部から見えないため、破線で示されている。内生地１１０は、リュックサックとして使用される第１の状態（図２，図３）においては一部が露出するが一部見えないため、見えない部分が破線で示されている。
【００２４】
紐部２００は、開口１０５から下方向に所定距離Ｄ１、離れた位置で上部外生地１２０と接続されている。これは、後述するが、バッグ１０がリュックサックとして使用される場合に肩紐としての長さを確保するためである。
【００２５】
内生地１１０と、上部外生地１２０と、下部外生地１３０の素材は、屈曲性のある素材であり、例えば、キャンバス生地や、ナイロン・ポリエステル等の合成繊維生地が使用できる。内生地１１０は、図１の状態では、上下（Ｚ軸）方向の周方向に略９０度ひねりが加えられた状態で収納されている。
【００２６】
上部外生地１２０は、内生地１１０の外側に縫製などの手段により接続しており、さらに、下部外生地１３０と連結するための上部連結具１２１を有する。上部外生地１２０は、内生地１１０と開口１０５の近傍で接続している。すなわち、内生地１１０は上部外生地１２０と上端を共通にした状態で上部外生地１２０にその上部が覆われた状態でその上端のみにおいて上部外生地１２０と接続されている。
【００２７】
下部外生地１３０も同様に、内生地１１０の外側に縫製などの手段により接続しており、さらに、上部外生地１２０と連結するための下部連結具１３１を有する。すなわち、内生地１１０は下部外生地１３０と下端を共通にした状態で下部外生地１３０にその下部が覆われた状態でその下端のみにおいて下部外生地１３０と接続されている。
【００２８】
上部外生地１２０は１枚の生地により構成されており、当該生地の一端と他端が縫製された綴じ部１２２を有する。すなわち、綴じ部１２２は、バッグ１０の片側のみ（図１の右側面、図３の中央）に設けられる。図１に示すように、バッグ１０がトートバッグとして使用される場合には、綴じ部１２２はバッグ１０の幅方向の片側に配置される。バッグ１０がリュックサックとして使用される場合には、綴じ部１２２が向かって奥に位置する。（ただし、図２においては、袋部１００により遮られて見えないため、図示と符号を省略している。）図２及び図３におけるＸ軸負方向は、バッグ１０がリュックサックとして使用される場合に使用者の背中と対向する方向であり、綴じ部１２２が配置されている面は、使用者の背中に接する（対向する）面である。
【００２９】
下部外生地１３０も、綴じ部１３２を図１におけるバッグ１０の幅方向の片側に有する。図１では、下部外生地１３０の綴じ部１３２がＸ軸方向負方向に位置するように図示されているが、トートバッグとして使用される状態からリュックサックとして使用される状態へとバッグ１０が変形する際に、内生地１１０に加えられている略９０度のひねりが解除されて伸ばされ、下部外生地１３０もこれに連動して上下方向の周方向、上から見て時計回りに回転するため、図２では、Ｙ軸負方向に図示されている。
【００３０】
図２に示すように、内生地１１０は、加えられていたひねりが解除され伸長すると、一部が、上部外生地１２０の下端から下部外生地１３０の上端の間に露出する。また上述したように、内生地１１０は、上部外生地１２０により覆われて露出しない部分も有する。この露出しない部分は、内生地１１０と上部外生地１２０が接続する開口１０５近傍から、上部外生地１２０の下端までの部分である。略９０度のひねりは、筒状の内生地１１０のおおむね全体に加えられる。したがって、上記露出しない部分と上記露出する部分の両方に、ひねりが加えられることになる。
【００３１】
下部連結具１３１は上部連結具１２１に対して連結可能な連結具である。本実施形態における上部連結具１２１と下部連結具１３１は、スライド・ファスナーである。ただし、これは一例であって、このほかにもたとえば、面ファスナーやボタン（フックやマグネットによるものを含む）により実施してもよい。
【００３２】
スライド・ファスナーの片側である上部連結具１２１は、上部外生地１２０の下端の内側に当該下端に沿って配置されており、スライダー２５０のスライダー嵌合部１２３を有する。
【００３３】
同じくスライド・ファスナーのもう一方の側である下部連結具１３１は、下部外生地１３０の上端の内側に当該上端に沿って配置されており、端部に上記スライダー２５０が嵌合するスライダー嵌合部１３３を有する。
【００３４】
ここで、図２に示されるように、バッグ１０がリュックサックとして使用される状態においては、上部連結具１２１と、これに対応する下部連結具１３１とが、Ｚ軸の周方向において略９０度ずれた位置に設けられている。したがって、スライダー嵌合部１２３とスライダー嵌合部１３３も、上から見ると略９０度ずれた位置に設けられている。
【００３５】
（バッグの変形方法）
以上に説明したバッグ１０の変形方法について、図４を参照しながら以下に説明する。
【００３６】
図４は、本実施形態に係るバッグ１０の変形方法を示す図であり、図４（Ａ）はトートバッグとして使用される状態、図４（Ｃ）はリュックサックとして使用される状態、図４（Ｂ）はその中間の状態を示している。
【００３７】
トートバッグからリュックサックへの変形方法から説明すると、使用者はまず、同図（Ａ）の状態において、スライド２５０をスライドさせて、連結状態にある上部連結具１２１と下部連結具１３１の連結を外す（同図Ｓ１）。続いて、ねじれた状態にある内生地１１０のねじれを解消しながら下方へ伸ばす（同図Ｓ２）。これによりバッグ１０は同図（Ｂ）に示す状態となる。
【００３８】
続いて、同図（Ｂ）に示すように、使用者は広げたバッグ１０の上部外生地の１２０の両端を手で内側へ押して、その幅と奥行き、それぞれの長さを変えて、バッグ１０のヨコ（正面／背面）とマチ（側面）を入れ替える（同図Ｓ３）。このようにねじれを解消しヨコとマチを入れ替えることにより、同図（Ｃ）に示すように、バッグ１０の向きが変わり、使用者の背中にあたる部分に上部外生地１２０の平面部分が形成され、背負いやすくなる。なお同図（Ｃ）は、バッグ１０を同図（Ｂ）の図示角度からＺ軸周りに９０度回転させて示している。
【００３９】
次にリュックサックからトートバッグへの変形方法を説明すると、使用者はバッグ１０の上部を手で押して、その幅と奥行き、それぞれの長さを変えてバッグ１０のヨコとマチを入れ替える（図４（Ｂ）のＳ３の逆）。続いて下部を持ち、略９０度ひねりながらＺ軸方向に収縮させ、内生地１１０を上部外生地１２０と下部外生地１３０の間に収納していく。
【００４０】
続いて上部連結具１２１についているスライダー２５０を下部連結具１３１のスライダー嵌合部１３３に嵌合させ、スライドさせて、上部連結具１２１と下部連結具１３１を連結させる。これによりバッグ１０は図４（Ｃ）に示したリュックサックとして使用される状態から、図４（Ａ）に示したトートとして使用される状態へと変形できる。
【００４１】
（バッグの使用方法）
以下、バッグ１０の使用方法について説明し、上述した構造によりもたらされる作用と効果について、さらに説明を加える。
【００４２】
図５は、バッグ１０の３通りの使用方法を例示する図である。図５（Ａ）に示すように、使用者は、荷物が少ないときや片手がバッグ１０で塞がれても問題ないときは紐部２００を手に提げたり肩に掛けたりして、バッグ１０をトートバッグとして使用することができる。この場合はバッグ１０全体がコンパクトであり、持ち運びしやすいというメリットがある。
【００４３】
図５（Ｂ）と図５（Ｃ）に示すように、荷物が増えてきた場合や、両手を自由にしておきたい場合（運動中や自転車乗車中等を含む）、使用者はバッグ１０を「リュックサックとして使用される状態」へと変形させる。ここで便宜的に「リュックサックとして使用される状態」と呼んでいる状態（第１の状態）は、使用の態様を限定する意図はない。図５（Ｂ）に示すように、この状態のバッグ１０は長めのトートバッグ（ロングトート）として使用されてもよい。
【００４４】
使用者は、バッグ１０をリュックサックとして使用する場合、図５（Ｃ）に示すように紐部２００を肩に掛け、肩紐として使用する。
【００４５】
本実施形態に係るバッグ１０は、リュックサックとして使用される場合には、トートバッグとして使用される状態から内生地１１０が略９０度ひねられることで、ヨコとマチが入れ替わった上部外生地１２０平面部分（一対の紐部２００の各片側が設けられた面）が使用者の背中にあたるようになる。そのためバッグ１０は、リュックサックとして使用した場合に背負いやすい。また、リュックサックとして使用される場合は、バッグ１０の高さＨ２が、例えば図５に示すように、平均的な身長の使用者の場合、腰の上ほどの高さにまで伸長される。そのため、バッグ１０全体の重心が、トートバッグとして使用される状態のまま背負うよりも、内生地１１０の上下方向の長さ分、バッグ１０が伸長するため、低くなり、背負いやすい。また、見た目や見栄えもトートバッグとして使用される状態のまま背負うよりもよく、ファッション性がより向上している。
【００４６】
さらに本実施形態に係るバッグ１０は、図５（Ｂ）、（Ｃ）に示すように内生地１１０の露出する部分のみにひねりが加えられる構成ではなく、内生地１１０は、開口１０５近傍から上部外生地１２０により覆われて露出しない部分を有する。この露出しない部分と露出する部分の両方がひねる領域として用いられる。
【００４７】
この構成により、見た目上、バッグ１０が伸長する部分は内生地１１０の露出する部分にとどめながら、ひねる領域としては覆われて露出しない部分も含めて上下方向に長い領域を確保することができる。バッグ１０の構造によれば、見た目を維持しながらも効率的にひねりを加えることができる。なお、当該露出する部分にデザイン要素を加えてもよい。この場合、当該デザイン要素がトートバッグとして使用される状態のときには隠れていて、リュックサックとして使用される状態のときに初めて外から見えるように構成でき、ファッション性を向上させることができる。
【００４８】
さらに本実施形態に係るバッグ１０は、上部外生地１２０の唯一の綴じ部１２２を、リュックサックとして使用される状態のときに使用者の背中に面する位置に有する。
【００４９】
この構成により、リュックサックとして使用した場合に、唯一の綴じ部１２２が使用者の背中にあたり外部に露出しないため、見た目の低下を防止することができる。
【００５０】
さらに本実施形態に係るバッグ１０は、リュックサックとして使用される状態のときに上部連結具１２１と下部連結具１３１とは、ひねりの回転軸であるＺ軸の周方向において略９０度ずれた位置に設けられている。この構成により、上部連結具１２１と下部連結具１３１とを周方向で９０度相対的に回転させることで、バッグ１０にひねりを加えることができる。
【００５１】
さらに本実施形態に係るバッグ１０は、紐部２００は、開口１０５から下方向に所定距離Ｄ１、離れた位置で上部外生地１２０と接続される。この構成により、バッグ１０をリュックサックとして使用した場合に、肩紐としての長さを十分確保することができる。
【００５２】
本実施形態は、さまざまな変形実施が可能である。本実施形態ではスライド・ファスナーとした上部連結具１２１と下部連結具１３１は、ボタンで実施してもよい。この場合も、上部連結具１２１と下部連結具１３１とは、ひねりの回転軸であるＺ軸の周方向において略９０度ずれた位置に設けられてもよい。この場合例えば、上部連結具１２１をボタンで構成し、下部連結具１３１をボタン穴で構成する。このボタン穴は、対応するボタンとＺ軸の周方向において略９０度ずれた位置に設けられる。このように構成すると本実施形態と同等の効果が得られる。
【００５３】
本発明は上記の実施形態には限定されない。本発明は、その技術思想の範囲内で様々に変形又は応用して実施することができる。そのような実施の範囲も本発明の技術的範囲に属する。
【符号の説明】
【００５４】
１０・・・バッグ
１００・・・袋部
１０５・・・開口
１１０・・・内生地
１２０・・・上部外生地
１２１・・・上部連結具
１２２・・・綴じ部
１２３・・・スライダー嵌合部
１３０・・・下部外生地
１３１・・・下部連結具
１３２・・・綴じ部
１３３・・・スライダー嵌合部
２００・・・紐部
２５０・・・スライダー
Ｄ１・・・開口から紐部の設置位置までの距離
Ｈ１・・・トートバッグとして使用される状態の袋部の高さ
Ｈ２・・・リュックサックとして使用される状態の袋部の高さ
【要約】
【課題】リュックサックとして使用した場合に安定して背負いやすく見た目もよいトートバッグを提供する。
【解決手段】リュックサックとして使用される第１の状態と、トートバッグとして使用される第２の状態とを有するバッグ１０。第１の状態のとき、内生地１１０は、伸長し、上部外生地１２０の下端と下部外生地１３０の上端の間に露出する。第１の状態から、内生地１１０が、上下方向を回転軸として略９０度ひねりが加えられて、収縮し、上部外生地１２０と下部外生地１３０の内側に収納され、上部連結具１２１が下部連結具１３１と連結されることで、第２の状態になる。
【選択図】図４【図１】
0006978138.tif 000002
【図２】
0006978138.tif 000003
【図３】
0006978138.tif 000004
【図４】
0006978138.tif 000005
【図５】
0006978138.tif 000006